(57)【要約】  【課題】  温度に依らずに、ユーザが使用している機能によって冷却用ファンを制御するシステムコントローラを備えた情報記録再生装置を提供する。  【解決手段】  電源がオンされると、システムコントローラの第１の回転制御手段の処理により、電源部近辺の第１冷却用ファンが低速回転する。ここで、ＨＤＤが記録または再生の動作に入ると、第２の回転制御手段の処理により、第１冷却用ファンが高速回転すると共に、ＨＤＤ近辺の第２冷却用ファンが回転する。ＨＤＤが停止して所定時間が経過すると、第３の回転制御手段の処理により、第１冷却用ファンが低速回転すると共に、第２冷却用ファンが停止する。この後、装置の電源がオフになった時、あるいは省電力機能により自動的に電源がオフになった時は、第４の回転制御手段の処理により、第１冷却用ファンが停止する。【選択図】      図３
2006338700.tif 000002
【特許請求の範囲】
【請求項１】
装置の各構成要素に電源を供給する電源部と、ハードディスクに対して情報の記録／再
生を行うハードディスクドライブと、少なくとも前記電源部および前記ハードディスクド
ライブを収容した筐体と、前記電源部の近辺に配置された第１冷却用ファンと、前記ハー
ドディスクドライブの近辺に配置された第２冷却用ファンとを備えた情報記録再生装置に
おいて、電源オン時に前記第１冷却用ファンを低速回転させる制御を行う第１の回転制御
手段と、前記ハードディスクドライブが記録動作または再生動作に入った時に前記第１冷
却用ファンを高速回転させる制御を行うと共に前記第２冷却用ファンを回転させる制御を
行う第２の回転制御手段と、前記ハードディスクドライブの記録動作または再生動作が停
止した時に所定時間経過後に前記第１冷却用ファンを低速回転させる制御を行うと共に前
記第２冷却用ファンを停止させる制御を行う第３の回転制御手段と、電源オフ時に前記第
１冷却用ファンを停止させる制御を行う第４の回転制御手段とを有するシステムコントロ
ーラを備えたことを特徴とする情報記録再生装置。
【請求項２】
装置の各構成要素に電源を供給する電源部と、ハードディスクに対して情報の記録／再
生を行うハードディスクドライブと、少なくとも前記電源部および前記ハードディスクド
ライブを収容した筐体と、前記電源部の近辺に配置された第１冷却用ファンと、前記ハー
ドディスクドライブの近辺に配置された第２冷却用ファンとを備えた情報記録再生装置に
おいて、前記電源部がオンされた時に前記第１冷却用ファンを回転させる制御を行うと共
に、前記ハードディスクドライブの機能のうち発熱が多くなるような動作が行われた時に
前記第２冷却用ファンを回転させる制御を行うシステムコントローラを備えたことを特徴
とする情報記録再生装置。
【請求項３】
前記ハードディスクドライブの機能のうち発熱が多くなるような動作とは、記録動作ま
たは再生動作であることを特徴とする請求項２に記載の情報記録再生装置。
【請求項４】
前記システムコントローラは、電源オン時に第１冷却用ファンを回転させる制御を行う
第１の回転制御手段と、ハードディスクドライブが記録動作または再生動作に入った時に
第２冷却用ファンを回転させる制御を行う第２の回転制御手段と、前記ハードディスクド
ライブの記録動作または再生動作が停止した時に前記第２冷却用ファンを停止させる制御
を行う第３の回転制御手段と、電源オフ時に前記第１冷却用ファンを停止させる制御を行
う第４の回転制御手段とを有することを特徴とする請求項２に記載の情報記録再生装置。
【請求項５】
前記第１の回転制御手段は、電源オン時に第１冷却用ファンを低速回転させる制御を行
うことを特徴とする請求項４に記載の情報記録再生装置。
【請求項６】
前記第２の回転制御手段は、ハードディスクドライブが記録動作または再生動作に入っ
た時に前記第１冷却用ファンを高速回転させる制御を行うと共に前記第２冷却用ファンを
回転させる制御を行うことを特徴とする請求項４に記載の情報記録再生装置。
【請求項７】
前記第３の回転制御手段は、ハードディスクドライブの記録動作または再生動作が停止
した時に所定時間経過後に前記第１冷却用ファンを低速回転させる制御を行うと共に前記
第２冷却用ファンを停止させる制御を行うことを特徴とする請求項４に記載の情報記録再
生装置。
【発明の詳細な説明】
【技術分野】
【０００１】
本発明は、ハードディスクドライブなどを筐体内に収容した情報記録再生装置に関し、
特に、筐体内の発熱を外部に放出する冷却用ファンの制御に関する。
【背景技術】
【０００２】
テレビ番組や映画などの映像音声情報を記録する記録媒体としては、従来から知られて
いる磁気テープであるビデオカセットテープ、近年普及してきている光ディスクの一種で
あるＤＶＤ（デジタルバーサタイルディスク）、あるいは従来からパーソナルコンピュー
タに使用されているハードディスクなどがある。ビデオカセットテープに対して映像音声
情報の記録／再生を行う装置としては、ＶＣＲ（ビデオカセットレコーダ）が知られてお
り、ＤＶＤに対して映像音声情報の記録／再生を行う装置としては、ＤＶＤレコーダが知
られている。また、ハードディスクに対して映像音声情報の記録／再生を行う装置として
は、ハードディスクレコーダが知られている。
【０００３】
ところで、最近では、ハードディスクレコーダとしてのＨＤＤ（ハードディスクドライ
ブ）とＤＶＤレコーダとが一つの筐体内に収容された複合型の情報記録再生装置、ＨＤＤ
とＶＣＲとが一つの筐体内に収容された複合型の情報記録再生装置、あるいはＨＤＤとＶ
ＣＲとＤＶＤレコーダとが一つの筐体内に収容された複合型の情報記録再生装置が普及し
てきている。ここで問題になるのは、複数種の情報記録再生装置が一つの筐体内に収容さ
れるので、筐体内の温度が上昇し易くなり、この温度上昇を抑えるため、筐体の例えば側
面には少なくとも１個の冷却用ファンが設けられている。
【特許文献１】特開２００５−１１３０４号公報
【特許文献２】特開２００４−１３９７２４号公報
【特許文献３】特開２００２−３２４３９１号公報
【発明の開示】
【発明が解決しようとする課題】
【０００４】
これらの複合型の情報記録再生装置（ＨＤＤ付き情報記録再生装置）では、特に、ＨＤ
Ｄが記録動作中や再生動作中などにＨＤＤの発熱量が多くて筐体内の温度が上昇する。そ
こで、冷却用ファンが１個しか設けられていないタイプの従来のＨＤＤ付き情報記録再生
装置では、筐体内の温度上昇を抑えるため、１個の冷却用ファンの回転数を上げる必要が
あり、これにより、ファン回転の騒音が高くなるという課題が生じる。
【０００５】
また、例えば２個の冷却用ファンが設けられているタイプの従来のＨＤＤ付き情報記録
再生装置では、第１冷却用ファン（一方の冷却用ファン）が電源部の近辺に配置され、第
２冷却用ファン（他方の冷却用ファン）がＨＤＤの近辺に配置されている。このタイプの
従来のＨＤＤ付き情報記録再生装置では、図４に示すようなシステムコントローラ４３に
より、第１冷却用ファン４６および第２冷却用ファン４７が制御される。なお、図４に示
す構成要素は当然ながら装置の筐体内に設けられているものとする。
【０００６】
図４において、装置の電源がオンされると、システムコントローラ４３は、温度センサ
４１が接続された温度検出部４２からの温度データを入力したＣＰＵ４４の処理により、
ファン制御部４５を介して第１冷却用ファン４６および第２冷却用ファン４７を制御する
。即ち、装置の電源がオンされると、第１冷却用ファン４６が回転して筐体内の空気が移
動することにより（筐体の吸気口から外部の空気を吸い込んで、第１冷却用ファン４６に
より外部へ排出する空気の移動により）、各構成要素が冷却される。そして、ＨＤＤが記
録動作や再生動作などを行っているうちに筐体内の温度が所定温度を超えると、第２冷却
用ファン４７も回転し、これにより、筐体内の温度が低下して行く。
【０００７】
しかしながら、このような冷却用ファンが複数個設けられているタイプの従来の情報記
録再生装置では、筐体内の温度を検出する温度センサおよび温度検出部が必要となり、こ
の分、コストアップするという課題が生じる。
【０００８】
なお、特許文献１の従来技術は、例えば、それぞれ２個のファンを内蔵する２個のファ
ンモジュールを備え、これらのファンモジュールにより筐体内の制御モジュールを冷却し
ているが、例えば、一方のファンモジュールが作動を停止した場合に、他方のファンモジ
ュールの駆動電圧を上昇させることにより、冷却風量の増大を図っているが、通常時はフ
ァンの回転は制御されていなく一定であるので、制御モジュールの機能のうち発熱が多く
なるような動作が長時間続いた場合、筐体内の温度が上昇して、制御モジュールの動作に
悪影響を与えることにもなる。また、この従来技術は冷却用ファンの制御に関するもので
はなく、冷却構造に関するものである。
【０００９】
特許文献２の従来技術は、ディスクアレイ装置内のＨＤＡおよびＨＤＡの制御回路基板
からなるキャニスタの冷却を均一化するもので、冷却構造に関するものであり、冷却用フ
ァンの制御に関するものではない。
【００１０】
特許文献３の従来技術は、装置内の温度を検出する温度検出部の温度データが過熱状態
を示しているときはファンを高速回転させ、温度データがやや過熱気味を示しているとき
はファンを低速回転させ、また、温度データが正常温度を示しているときはファンを停止
させる制御を行っているが、このような温度によるファンの制御は温度検出のための温度
センサなどが必要となり、この分、コストアップに繋がることになる。
【００１１】
本発明は、上記のような課題を解決するためになされたもので、温度に依らずに、ユー
ザが使用している機能によって冷却用ファンを制御するシステムコントローラを備えた情
報記録再生装置を提供することを目的とする。
【課題を解決するための手段】
【００１２】
上記目的を達成するために、請求項１の発明は、装置の各構成要素に電源を供給する電
源部と、ハードディスクに対して情報の記録／再生を行うハードディスクドライブと、少
なくとも前記電源部および前記ハードディスクドライブを収容した筐体と、前記電源部の
近辺に配置された第１冷却用ファンと、前記ハードディスクドライブの近辺に配置された
第２冷却用ファンとを備えた情報記録再生装置において、電源オン時に前記第１冷却用フ
ァンを低速回転させる制御を行う第１の回転制御手段と、前記ハードディスクドライブが
記録動作または再生動作に入った時に前記第１冷却用ファンを高速回転させる制御を行う
と共に前記第２冷却用ファンを回転させる制御を行う第２の回転制御手段と、前記ハード
ディスクドライブの記録動作または再生動作が停止した時に所定時間経過後に前記第１冷
却用ファンを低速回転させる制御を行うと共に前記第２冷却用ファンを停止させる制御を
行う第３の回転制御手段と、電源オフ時に前記第１冷却用ファンを停止させる制御を行う
第４の回転制御手段とを有するシステムコントローラを備えたことを特徴とする情報記録
再生装置を提供する。
【００１３】
この構成において、電源がオンされると、第１の回転制御手段の処理により第１冷却用
ファンが低速回転する。ここで、ハードディスクドライブが記録または再生の動作に入る
と、第２の回転制御手段の処理により、第１冷却用ファンが高速回転すると共に、第２冷
却用ファンが回転する。ハードディスクドライブが停止して所定時間が経過すると、第３
の回転制御手段の処理により、第１冷却用ファンが低速回転すると共に、第２冷却用ファ
ンが停止する。この後、装置の電源がオフになった時、あるいは省電力機能により自動的
に電源がオフになった時は、第４の回転制御手段の処理により、第１冷却用ファンが停止
する。
【００１４】
このようなファン制御により、電源部の近辺に配置された第１冷却用ファンは、電源が
オンされた後、低速回転することによって、騒音も少ない状態で、筐体内の各構成要素を
冷却し、特に、電源部が冷却される。また、ハードディスクドライブが記録動作または再
生動作に入った時に、第１冷却用ファンを高速回転させると共に、第２冷却用ファンを回
転させることによって、構成要素全体が冷却されることは勿論、特に、発熱が多いハード
ディスクドライブが冷却される。この場合、第２冷却用ファンが回転することによって、
ハードディスクドライブが特に冷却されるが、更に、第１冷却用ファンが高速回転するの
で、筐体内の温度上昇を更に抑えることができる。また、ハードディスクドライブが停止
し、所定時間が経過した後、第１冷却用ファンを低速回転させると共に、第２冷却用ファ
ンを停止させるので、筐体内の温度上昇を速く下げることができる。
【００１５】
この構成によれば、ユーザが使用しているハードディスクドライブの機能によって、第
１冷却用ファンおよび第２冷却用ファンを制御することで、騒音低減効果が得られ、また
、温度センサおよび温度検出部などのような筐体内温度を検出するための温度検出に関す
る部品が不要となり、この分、コストダウンを図れる。
【００１６】
請求項２の発明は、装置の各構成要素に電源を供給する電源部と、ハードディスクに対
して情報の記録／再生を行うハードディスクドライブと、少なくとも前記電源部および前
記ハードディスクドライブを収容した筐体と、前記電源部の近辺に配置された第１冷却用
ファンと、前記ハードディスクドライブの近辺に配置された第２冷却用ファンとを備えた
情報記録再生装置において、前記電源部がオンされた時に前記第１冷却用ファンを回転さ
せる制御を行うと共に、前記ハードディスクドライブの機能のうち発熱が多くなるような
動作が行われた時に前記第２冷却用ファンを回転させる制御を行うシステムコントローラ
を備えたことを特徴とする情報記録再生装置を提供する。
【００１７】
この構成において、電源部がオンされると、第１冷却用ファンが回転し、ハードディス
クドライブの機能のうち発熱が多くなるような動作が行われた時に、第２冷却用ファンが
回転する。
【００１８】
この構成によれば、ユーザが使用しているハードディスクドライブの機能によって、第
１冷却用ファンおよび第２冷却用ファンを制御することで、騒音低減効果が得られ、また
、温度センサおよび温度検出部などのような筐体内温度を検出するための温度検出に関す
る部品が不要となり、この分、コストダウンを図れる。
【００１９】
請求項３の発明では、請求項２の発明において、ハードディスクドライブの機能のうち
発熱が多くなるような動作とは、記録動作または再生動作であるので、ハードディスクド
ライブが記録動作または再生動作を行うと、第２冷却用ファンも回転して、特にハードデ
ィスクドライブが冷却される。
【００２０】
請求項４の発明では、請求項２の発明において、前記システムコントローラは、電源オ
ン時に第１冷却用ファンを回転させる制御を行う第１の回転制御手段と、ハードディスク
ドライブが記録動作または再生動作に入った時に第２冷却用ファンを回転させる制御を行
う第２の回転制御手段と、前記ハードディスクドライブの記録動作または再生動作が停止
した時に前記第２冷却用ファンを停止させる制御を行う第３の回転制御手段と、電源オフ
時に前記第１冷却用ファンを停止させる制御を行う第４の回転制御手段とを有する。
【００２１】
したがって、前記システムコントローラは、第１の回転制御処理、第２の回転制御処理
、第３の回転制御処理、および第４の回転制御処理を実現でき、これにより、第１冷却用
ファンおよび第２冷却用ファンを所定の制御により駆動させることが可能になる。
【００２２】
請求項５の発明では、請求項４の発明において、前記第１の回転制御手段は、電源オン
時に第１冷却用ファンを低速回転させる制御を行うので、ファンの騒音が低減した状態で
、電源部などの冷却が可能になる。
【００２３】
請求項６の発明では、請求項４の発明において、前記第２の回転制御手段は、ハードデ
ィスクドライブが記録動作または再生動作に入った時に、前記第１冷却用ファンを高速回
転させる制御を行うと共に前記第２冷却用ファンを回転させる制御を行うので、ハードデ
ィスクドライブが発熱しても冷却を十分に行うことが可能になる。
【００２４】
請求項７の発明では、請求項４の発明において、前記第３の回転制御手段は、ハードデ
ィスクドライブの記録動作または再生動作が停止した時に所定時間経過後に、前記第１冷
却用ファンを低速回転させる制御を行うと共に前記第２冷却用ファンを停止させる制御を
行うので、ハードディスクドライブの記録動作または再生動作が停止した後、ハードディ
スクドライブなどを十分に冷却することが可能になる。
【発明の効果】
【００２５】
以上のように本発明によれば、装置の各構成要素に電源を供給する電源部と、ハードデ
ィスクに対して情報の記録／再生を行うハードディスクドライブと、少なくとも前記電源
部および前記ハードディスクドライブを収容した筐体と、前記電源部の近辺に配置された
第１冷却用ファンと、前記ハードディスクドライブの近辺に配置された第２冷却用ファン
とを備えた情報記録再生装置において、電源オン時に前記第１冷却用ファンを低速回転さ
せる制御を行う第１の回転制御手段と、前記ハードディスクドライブが記録動作または再
生動作に入った時に前記第１冷却用ファンを高速回転させる制御を行うと共に前記第２冷
却用ファンを回転させる制御を行う第２の回転制御手段と、前記ハードディスクドライブ
の記録動作または再生動作が停止した時に所定時間経過後に前記第１冷却用ファンを低速
回転させる制御を行うと共に前記第２冷却用ファンを停止させる制御を行う第３の回転制
御手段と、電源オフ時に前記第１冷却用ファンを停止させる制御を行う第４の回転制御手
段とを有するシステムコントローラを備えたので、ユーザが使用しているハードディスク
ドライブの機能によって、第１冷却用ファンおよび第２冷却用ファンを制御することがで
き、これにより、騒音低減効果が得られ、また、温度センサおよび温度検出部などのよう
な筐体内温度を検出するための温度検出に関する部品が不要となり、この分、コストダウ
ンを図れる。
【００２６】
また、本発明によれば、装置の各構成要素に電源を供給する電源部と、ハードディスク
に対して情報の記録／再生を行うハードディスクドライブと、少なくとも前記電源部およ
び前記ハードディスクドライブを収容した筐体と、前記電源部の近辺に配置された第１冷
却用ファンと、前記ハードディスクドライブの近辺に配置された第２冷却用ファンとを備
えた情報記録再生装置において、前記電源部がオンされた時に前記第１冷却用ファンを回
転させる制御を行うと共に、前記ハードディスクドライブの機能のうち発熱が多くなるよ
うな動作が行われた時に前記第２冷却用ファンを回転させる制御を行うシステムコントロ
ーラを備えたので、ユーザが使用しているハードディスクドライブの機能によって、第１
冷却用ファンおよび第２冷却用ファンを制御することができ、これにより、騒音低減効果
が得られ、また、温度センサおよび温度検出部などのような筐体内温度を検出するための
温度検出に関する部品が不要となり、この分、コストダウンを図れる。
【発明を実施するための最良の形態】
【００２７】
以下、添付図面を参照しつつ、本発明の実施の形態について説明する。図１は本発明の
一実施形態に係る情報記録再生装置において各構成要素の配置の一例を示すブロック図で
ある。
【００２８】
図１に示すように、この情報記録再生装置は、各構成要素に電源を供給する電源部１と
、ハードディスクに対して情報の記録／再生を行うＨＤＤ（ハードディスクドライブ）２
と、ビデオカセットテープに対して情報の記録／再生を行うＶＣＲ３と、ＤＶＤに対して
情報の記録／再生を行うＤＶＤレコーダ４と、装置全体を制御するシステムコントローラ
５と、電源部１の近辺に配置された第１冷却用ファン６と、ＨＤＤ２の近辺に配置された
第２冷却用ファン７と、第１冷却用ファン６および第２冷却用ファン７を駆動制御するフ
ァン制御部８とを備え、これらの構成要素は筐体９に収容されている。なお、筐体９の所
定の箇所には図示しないが、外部の空気を筐体９内に取り込むための吸気口が設けられて
いる。
【００２９】
図２は本実施形態において冷却用ファンを制御するシステムコントローラの動作を説明
するためのブロック図である。図２において、システムコントローラ５のＣＰＵ１０は、
例えばリモコン１６の電源キーが押下されることにより装置の電源がオンされた時に、第
１冷却用ファン６を低速回転させる制御をファン制御部８に対して行う第１の回転制御手
段１１と、ＨＤＤ２が記録動作（この場合の記録動作はタイムシフト録画動作である場合
の記録動作も含む）または再生動作に入った時に第１冷却用ファン６を高速回転させる制
御をファン制御部８に対して行うと共に第２冷却用ファン７を回転させる制御を同じくフ
ァン制御部８に対して行う第２の回転制御手段１２と、ＨＤＤ２の記録動作または再生動
作が停止した時にタイマ１５により計時された所定時間経過後に第１冷却用ファン６を低
速回転させる制御をファン制御部８に対して行うと共に第２冷却用ファン７を停止させる
制御を同じくファン制御部８に対して行う第３の回転制御手段１３と、例えばリモコン１
６の電源キーが押下されることにより装置の電源がオフされた時に第１冷却用ファン６を
停止させる制御をファン制御部８に対して行う第４の回転制御手段１４とを有している。
【００３０】
図３は本実施形態においてシステムコントローラが冷却用ファンを制御する処理を説明
するためのフローチャートである。このフローチャートおよび図１、図２を参照してシス
テムコントローラが冷却用ファンを制御する処理について説明する。
【００３１】
先ず、リモコン１６の電源キーが押下されると（ステップＳ１）、これに応答して、シ
ステムコントローラ５は、電源部１を駆動して装置内の各構成要素に電源を供給する。そ
して、システムコントローラ５のＣＰＵ１０の第１の回転制御手段１１は、第１冷却用フ
ァン６を低速回転させる制御をファン制御部８に対して行う（ステップＳ２）。これによ
り、ファン制御部８は第１冷却用ファン６を低速回転させる。
【００３２】
ここで、リモコン１６のキー操作により、ＨＤＤ２が記録または再生の動作に入ると、
システムコントローラ５のＣＰＵ１０の第２の回転制御手段１２は、ＨＤＤ２が記録また
は再生の動作に入ったことを検出し（ステップＳ３）、第１冷却用ファン６を高速回転さ
せる制御をファン制御部８に対して行うと共に、第２冷却用ファン７を回転させる制御を
同じくファン制御部８に対して行う。これにより、ファン制御部８は、第１冷却用ファン
６を高速回転させると共に、第２冷却用ファン７を回転させる（ステップＳ４）。
【００３３】
そして、リモコン１６のキー操作により、ＨＤＤ２が停止すると、システムコントロー
ラ５のＣＰＵ１０の第３回転制御手段１３は、ＨＤＤ２が停止したことを検出し（ステッ
プＳ５）、タイマ１５を計時動作させ、この計時の時間が所定時間を経過すると（ステッ
プＳ６）、第１冷却用ファン６を低速回転させる制御をファン制御部８に対して行うと共
に、第２冷却用ファン７を停止させる制御を同じくファン制御部８に対して行う。これに
より、ファン制御部８は、第１冷却用ファン６を低速回転させると共に、第２冷却用ファ
ン７を停止させる（ステップＳ７）。なお、ＶＣＲ３やＤＶＤレコーダ４を使用している
時は、第２冷却用ファン７は駆動しない。
【００３４】
この後、リモコン１６の電源キーの押下により、装置の電源がオフになった時、あるい
は省電力機能により自動的に電源がオフになった時に、システムコントローラ５のＣＰＵ
１０の第４の回転制御手段１４は、電源がオフになったことを検出し（ステップＳ８）、
第１冷却用ファン６を停止させる制御をファン制御部８に対して行う。これにより、ファ
ン制御部８は第１冷却用ファン６を停止させる（ステップＳ９）。
【００３５】
なお、電源がオフすると、電源部１はメイン電源回路が動作を停止するが、待機電源回
路が動作しているので、この待機電源回路によってシステムコントローラ５は動作するこ
とができ、装置の電源がオフになった後も、ＣＰＵ１０の各手段はそれぞれの処理を行う
ことが可能になる。ただし、装置本体の電源スイッチをオフして完全に商用交流電源を遮
断した場合は、システムコントローラ５は動作しないが、当然第１冷却用ファン６および
第２冷却用ファン７はどのような状態であっても停止することは言うまでもない。
【００３６】
このようなファン制御により、電源部１の近辺に配置された第１冷却用ファン６は、電
源がオンされた後、低速回転することによって、騒音も少ない状態で、筐体９内の各構成
要素を冷却し、特に、電源部１が冷却される。なお、第１冷却用ファン６は、電源がオン
された後、低速回転ではなく通常の規定回転数で回転させても騒音が気にならない場合は
、通常の規定回転数で回転させても良い。
【００３７】
また、ＨＤＤ２が記録動作または再生動作に入った時に、第１冷却用ファン６を高速回
転させると共に、第２冷却用ファン７を回転させることによって、構成要素全体が冷却さ
れることは勿論、特に、発熱が多いＨＤＤ２が冷却される。この場合、第２冷却用ファン
７が回転することによって、特にＨＤＤ２が冷却されるが、更に、第１冷却用ファン６が
高速回転するので、筐体９内の温度上昇を更に抑えることができ、他の構成要素も十分に
冷却される。
【００３８】
また、ＨＤＤ２が停止し、所定時間が経過した後、第１冷却用ファン６を低速回転させ
ると共に、第２冷却用ファン７を停止させるので、筐体９内の温度上昇を速く下げること
ができる。なお、ＨＤＤ２が停止した後、筐体９内の温度上昇を速く下げる必要がない場
合には、すぐに第１冷却用ファン６を低速回転させると共に、第２冷却用ファン７を停止
させても良い。
【００３９】
また、電源部１の近辺に１個の第１冷却用ファン６を設け、ＨＤＤ２の近辺に１個の第
２冷却用ファン７を設けたが、これに限らす、電源部１の近辺に２個以上の第１冷却用フ
ァンを設け、ＨＤＤ２の近辺に２個以上の第２冷却用ファンを設けても良く、この場合も
、同様にファン制御を行うことができる。
【００４０】
以上説明したように本実施形態によれば、ユーザが使用しているＨＤＤ２の機能によっ
て、第１冷却用ファン６および第２冷却用ファン７を制御することで、騒音低減効果が得
られ、また、従来の情報記録再生装置のように温度センサおよび温度検出部などのような
筐体内温度を検出するための温度検出に関する部品が不要となり、この分、コストダウン
を図れる。
【図面の簡単な説明】
【００４１】
【図１】本発明の一実施形態に係る情報記録再生装置において各構成要素の配置の一例を示すブロック図である。
【図２】前記実施形態において冷却用ファンを制御するシステムコントローラの動作を説明するためのブロック図である。
【図３】前記実施形態においてシステムコントローラが冷却用ファンを制御する処理を説明するためのフローチャートである。
【図４】従来の情報記録再生装置において冷却用ファンを制御するシステムコントローラの動作を説明するためのブロック図である。
【符号の説明】
【００４２】
１    電源部
２    ＨＤＤ（ハードディスクドライブ）
５    システムコントローラ
６    第１冷却用ファン
７    第２冷却用ファン
９    筐体
１１    第１の回転制御手段
１２    第２の回転制御手段
１３    第３の回転制御手段
１４    第４の回転制御手段
【図１】
2006338700.tif 000003
【図２】
2006338700.tif 000004
【図３】
2006338700.tif 000005
【図４】
2006338700.tif 000006